(57)【特許請求の範囲】
【請求項１】
ユーザの居住空間と、
居住空間内を照明して光出力を調整自在な照明器具と、
居住空間内でユーザが使用する１乃至複数の機器と、
所定の機器を使用する１乃至複数のモードを設定するモード設定手段と、
照明器具の光出力を、モード設定手段で設定したモードにおいて所定の機器の使用に適した光温度に制御する制御手段と
を備え、
機器は、少なくとも、ユーザに対して他動的な運動を行わせる他動運動機器を含み、モード設定手段は、設定可能なモードとして、他動運動機器を使用するフィットネスモードを具備し、制御手段は、フィットネスモードの設定時に、照明器具が出力する光の色温度をユーザの身体活性度が向上する色温度に制御する
ことを特徴とする居住装置。
【請求項２】
前記他動運動機器を用いた運動に関する情報を表示する映像機器を備え、前記制御手段は、フィットネスモードの設定時に、前記照明器具が出力する光の色温度をユーザの身体活性度が向上する色温度に制御するとともに、他動運動機器を用いた運動に関する情報を前記映像機器に表示することを特徴とする請求項１記載の居住装置。
【請求項３】
前記他動運動機器を用いた運動に関する情報は、他動運動機器を用いた運動方法であることを特徴とする請求項２記載の居住装置。
【請求項４】
前記制御手段は、前記映像機器に表示する他動運動機器を用いた運動に他動運動機器の動きが追従するように、他動運動機器の動作を制御することを特徴とする請求項３記載の居住装置。
【請求項５】
前記他動運動機器は、ユーザが跨いで着座する鞍状の座席部と、当該座席部を揺動させる駆動部とを具備して、乗馬運動を模した運動負荷をユーザに与える乗馬型の運動機器からなることを特徴とする請求項１乃至４いずれか記載の居住装置。
【請求項６】
前記他動運動機器を使用するユーザの体動を検出する体動検出手段と、体動検出手段が検出したユーザの腰部の軌跡を表示する映像機器とを備え、
前記他動運動機器は、ユーザが跨いで着座する鞍状の座席部と、当該座席部を揺動させる駆動部とを具備して、乗馬運動を模した運動負荷をユーザに与える乗馬型の運動機器からなり、
前記制御手段は、フィットネスモードの設定時に、前記照明器具が出力する光の色温度をユーザの身体活性度が向上する色温度に制御するとともに、体動検出手段が検出したユーザの腰部の軌跡を前記映像機器に表示することを特徴とする請求項１記載の居住装置。
【請求項７】
前記機器は、映像を表示する映像機器と、居住空間に設置されたスピーカ機器とを含み、前記モード設定手段は、設定可能なモードとして、当該映像機器およびスピーカ機器を使用する映像視聴モードを具備し、前記制御手段は、映像視聴モードの設定時に、前記照明器具が出力する光の色温度を映像視聴に適した色温度に制御することを特徴とする請求項１乃至６いずれか記載の居住装置。
【請求項８】
居住空間内で前記映像機器を収納する収納領域を他の領域と仕切る扉を開閉可能に駆動する駆動手段を備え、映像視聴モードの設定時に、駆動手段は扉を開制御することを特徴とする請求項７記載の居住装置。
【請求項９】
前記映像機器を収納する第１の収納領域と、第１の収納領域に隣接して設けられた第２の収納領域と、第１の収納領域と第２の収納領域とのいずれかを切替自在に他の領域と仕切る扉とを備え、扉が第１の収納領域を隠蔽する状態から第２の収納領域を隠蔽する状態に切り替えられた場合、前記モード設定手段は、映像視聴モードを設定することを特徴とする請求項７記載の居住装置。
【請求項１０】
前記機器は机を含み、居住空間内で机を配置した領域を他の領域と仕切る扉を開閉可能に駆動する駆動手段を備えて、前記モード設定手段は、設定可能なモードとして、机を使用する勉強モードを具備し、勉強モードの設定時に、前記制御手段は、照明器具が出力する光の色温度を勉強に適した色温度に制御し、駆動手段は、扉を開制御することを特徴とする請求項１乃至９いずれか記載の居住装置。
【発明の詳細な説明】
【技術分野】
【０００１】
本発明は、居住装置に関するものである。
【背景技術】
【０００２】
従来、部屋に存在する人の状態に応じて、部屋内の照明をシーン制御するシステムがあり、例えば、暗い室内に人が入室したとき、人の動きを検知して入室用の照明シーンによって室内を明るくするシーンコントロールスイッチがある。（例えば、特許文献１参照）。
【特許文献１】特開平８−２４９９２１号公報
【発明の開示】
【発明が解決しようとする課題】
【０００３】
しかしながら、上記従来の構成では、人の状態（入室、退出等）に合わせたシーン制御を行うものであり、部屋内の機器（運動機器、視聴覚機器等）を使用する際に、部屋内の空間（居住空間）自体を当該機器を使用するに適した状態にシーン制御するものではなかった。すなわち、人が空間内で機器を使用する際に、その機器を使用することに適した上質な空間環境を形成することができなかった。
【０００４】
本発明は、上記事由に鑑みてなされたものであり、その目的は、居住空間内のユーザが所定の機器を使用する各モードにおいて上質な空間環境を享受することができる居住装置を提供することにある。
【課題を解決するための手段】
【０００５】
請求項１の発明は、ユーザの居住空間と、居住空間内を照明して光出力を調整自在な照明器具と、居住空間内でユーザが使用する１乃至複数の機器と、所定の機器を使用する１乃至複数のモードを設定するモード設定手段と、照明器具の光出力を、モード設定手段で設定したモードにおいて所定の機器の使用に適した光温度に制御する制御手段とを備え、機器は、少なくとも、ユーザに対して他動的な運動を行わせる他動運動機器を含み、モード設定手段は、設定可能なモードとして、他動運動機器を使用するフィットネスモードを具備し、制御手段は、フィットネスモードの設定時に、照明器具が出力する光の色温度をユーザの身体活性度が向上する色温度に制御することを特徴とする。
【０００６】
この発明によれば、所定の機器を使用するモードを設定し、各モードに適した居住空間の照明環境を与えるので、居住空間内のユーザは各モードにおいて上質な空間環境を享受することができる。また、照明器具の光温度によって、各モードにおける居住空間が機器の使用に適した空間に形成され、機器の使用による効果を向上させることができる。また、照明器具の照明によって、居住空間が身体活性度を高める空間に形成され、他動運動機器を用いた運動の効果を向上させることができる。
【０００７】
請求項２の発明は、請求項１において、前記他動運動機器を用いた運動に関する情報を表示する映像機器を備え、前記制御手段は、フィットネスモードの設定時に、前記照明器具が出力する光の色温度をユーザの身体活性度が向上する色温度に制御するとともに、他動運動機器を用いた運動に関する情報を前記映像機器に表示することを特徴とする。
【０００８】
この発明によれば、映像機器に表示された他動運動機器を用いた運動に関する情報を見ながら運動を行うことで、運動の効率が向上する。
【０００９】
請求項３の発明は、請求項２において、前記他動運動機器を用いた運動に関する情報は、他動運動機器を用いた運動方法であることを特徴とする。
【００１０】
この発明によれば、他動運動機器を使用するユーザは、映像機器に表示される内容を参照して他動運動機器を用いることにより、正しい動きで運動を行うことができる。
【００１１】
請求項４の発明は、請求項３において、前記制御手段は、前記映像機器に表示する他動運動機器を用いた運動に他動運動機器の動きが追従するように、他動運動機器の動作を制御することを特徴とする。
【００１２】
この発明によれば、他動運動機器を使用するユーザは、映像機器に表示される内容に合わせて、リアルタイムで正しい動きの運動を行うことができる。したがって、指導者がいない場所で他動運動機器を使用する場合でも、映像機器に表示される内容を参照して体を動かすことで、正しい動きをすることができ、他動運動機器の使い勝手が向上するとともに、他動運動機器を用いて効果的な運動を行うことができる。
【００１３】
請求項５の発明は、請求項１乃至４いずれかにおいて、前記他動運動機器は、ユーザが跨いで着座する鞍状の座席部と、当該座席部を揺動させる駆動部とを具備して、乗馬運動を模した運動負荷をユーザに与える乗馬型の運動機器からなることを特徴とする。
【００１４】
この発明によれば、乗馬型の運動機器を用いた運動の効果を向上させることができる。また、乗馬型の他動運動機器の場合、運動中の乗り方（体の動かし方や座る位置など）によって運動の効果が大きく左右され、他動運動を行ったにも関わらず、所望の運動効果が得られない場合が発生する。しかし、映像機器に表示される動画の運動内容に、乗馬型の他動運動機器の動きを追従させるように、他動運動機器の動作を制御すれば、映像機器に表示された動画の運動内容を見ながら体を動かすことによって、正しい動きをすることができ、所望の運動効果を得ることができる。
【００１５】
請求項６の発明は、請求項１において、前記他動運動機器を使用するユーザの体動を検出する体動検出手段と、体動検出手段が検出したユーザの腰部の軌跡を表示する映像機器とを備え、前記他動運動機器は、ユーザが跨いで着座する鞍状の座席部と、当該座席部を揺動させる駆動部とを具備して、乗馬運動を模した運動負荷をユーザに与える乗馬型の運動機器からなり、前記制御手段は、フィットネスモードの設定時に、前記照明器具が出力する光の色温度をユーザの身体活性度が向上する色温度に制御するとともに、体動検出手段が検出したユーザの腰部の軌跡を前記映像機器に表示することを特徴とする。
【００１６】
この発明によれば、照明器具の照明によって、居住空間が身体活性度を高める空間に形成され、乗馬型の運動機器を用いた運動の効果を向上させることができる。さらに、乗馬型の運動機器を使用するユーザは、映像機器に表示された自身の腰部の軌跡を見ることで、運動時の体動を視覚的に把握することができる。
【００１７】
請求項７の発明は、請求項１乃至６いずれかにおいて、前記機器は、映像を表示する映像機器と、居住空間に設置されたスピーカ機器とを含み、前記モード設定手段は、設定可能なモードとして、当該映像機器およびスピーカ機器を使用する映像視聴モードを具備し、前記制御手段は、映像視聴モードの設定時に、前記照明器具が出力する光の色温度を映像視聴に適した色温度に制御することを特徴とする。
【００１８】
この発明によれば、照明器具の照明によって、居住空間が映像視聴に適した空間に形成され、ユーザの視聴覚に対してより効果的な演出を行うことができる。
【００１９】
請求項８の発明は、請求項７において、居住空間内で前記映像機器を収納する収納領域を他の領域と仕切る扉を開閉可能に駆動する駆動手段を備え、映像視聴モードの設定時に、駆動手段は扉を開制御することを特徴とする。
【００２０】
この発明によれば、通常は映像機器を扉で居住空間から隠蔽しておき、必要なときのみ扉を開いて映像機器を居住空間内に対面させるので、そのときどきのモードに適した空間環境を形成できる。
【００２１】
請求項９の発明は、請求項７において、前記映像機器を収納する第１の収納領域と、第１の収納領域に隣接して設けられた第２の収納領域と、第１の収納領域と第２の収納領域とのいずれかを切替自在に他の領域と仕切る扉とを備え、扉が第１の収納領域を隠蔽する状態から第２の収納領域を隠蔽する状態に切り替えられた場合、前記モード設定手段は、映像視聴モードを設定することを特徴とする。
【００２２】
この発明によれば、通常は映像機器を扉で居住空間から隠蔽しておき、必要なときのみ扉を開いて映像機器を居住空間内に対面させるので、そのときどきのモードに適した空間環境を形成できる。
【００２３】
請求項１０の発明は、請求項１乃至９いずれかにおいて、前記機器は机を含み、居住空間内で机を配置した領域を他の領域と仕切る扉を開閉可能に駆動する駆動手段を備えて、前記モード設定手段は、設定可能なモードとして、机を使用する勉強モードを具備し、勉強モードの設定時に、前記制御手段は、照明器具が出力する光の色温度を勉強に適した色温度に制御し、駆動手段は、扉を開制御することを特徴とする。
【００２４】
この発明によれば、照明器具の照明によって、居住空間が集中力の高まる空間に形成され、勉強の効果を向上させることができる。さらに、通常は机を扉で居住空間から隠蔽しておき、必要なときのみ扉を開いて机を居住空間内に対面させるので、そのときどきのモードに適した空間環境を形成できる。
【発明の効果】
【００２５】
以上説明したように、本発明では、所定の機器を使用するモードを設定し、各モードに適した居住空間の照明環境を与えるので、居住空間内のユーザが所定の機器を使用する各モードにおいて上質な空間環境を享受することができるという効果がある。また、照明器具の光温度によって、各モードにおける居住空間が機器の使用に適した空間に形成され、機器の使用による効果を向上させることができる。また、照明器具の照明によって、居住空間が身体活性度を高める空間に形成され、他動運動機器を用いた運動の効果を向上させることができる。
【発明を実施するための最良の形態】
【００２６】
以下、本発明の実施の形態を図面に基づいて説明する。
【００２７】
（実施形態）
図１は本発明に係る居住装置の概略構成を示し、個人の住宅Ａの各部屋においてイーサネット（登録商標）によりＬＡＮ２０１が構築され、当該ＬＡＮ２０１が住宅盤３００内に収納された情報ブレーカと呼ばれるセキュリティ機器３００ａを介してＷＡＮを構成するインターネット２０２に接続されている。そして、住宅Ａの居間Ｒ１は、照明器具１、他動運動機器２、映像機器３、スピーカ機器４、コントロールパネル６が配置された居住空間であり、居間Ｒ１内のユーザは活動量計５を携行しており、照明器具１、他動運動機器２、映像機器３、スピーカ機器４、活動量計５、コントロールパネル６、後述の扉９の開閉用モータドライバ９ａはＬＡＮ２０１を介してセキュリティ機器３００ａとの間で通信可能に構成される。ここで、セキュリティ機器３００ａは、宅内の機器に対する不正アクセスと思われるパケットを自動破棄する機能などを備えている。なお、照明器具１、他動運動機器２、映像機器３、スピーカ機器４、コントロールパネル６、モータドライバ９ａには、図示しない電力線系統から動作電源が供給されている。
【００２８】
一方、居住空間における後述のシーン制御サービスを提供する事業者Ｂには、住宅Ａ内のユーザに当該サービスを提供するためのセンターサーバ１０１と、他動運動機器２を用いた運動プログラムの運動内容を示す動画や、映画音楽等の様々なコンテンツの動画を配信するための映像配信サーバ１０２が設置されている。また、本実施形態では、照明器具１、他動運動機器２、映像機器３、スピーカ機器４、活動量計５、コントロールパネル６、モータドライバ９ａを連動して制御する制御手段を、センターサーバ１０１で構成している。
【００２９】
ここにおいて、居住空間である居間Ｒ１と、センターサーバ１０１と、映像配信サーバ１０２と、居間Ｒ１内に配置されるとともにＬＡＮ２０１、インターネット２０２を介してセンターサーバ１０１および映像配信サーバ１０２と通信可能な照明器具１、他動運動機器２、映像機器３、スピーカ機器４、活動量計５、コントロールパネル６、開閉用モータドライバ９ａとで、居住装置を構成している。
【００３０】
居間Ｒ１は、図２に示すように、部屋の略中央にソファー８が置かれて、ソファー８に対向する壁面に設けられた収納領域の前面には扉９，９が両引き戸構成で設置されており、扉９，９は、モータドライバ９ａが図示しないモータを駆動することによって開閉される。そして、図３に示すように扉９，９が開状態の場合には、収納領域Ｇ１が居間Ｒ１内に対面し、図４に示すように扉９，９が閉状態の場合には、収納領域Ｇ１の両側に設けられた収納領域Ｇ２が居間Ｒ１内に対面する。収納領域Ｇ１には映像機器３が収納され、映像機器３の両側には照明器具１としてＬＥＤ照明器具１１が取り付けられており、収納領域Ｇ２はラック５００で構成され、ラック５００内には照明器具１たるＬＥＤ照明器具１２が取り付けられている。
【００３１】
そして、扉９，９を開けた状態では、ラック５００およびＬＥＤ照明器具１２が扉９，９によって居間Ｒ１内から隠蔽され、映像機器３およびＬＥＤ照明器具１１が居間Ｒ１内に対面する（図３参照）。一方、扉９，９を閉めた状態では、映像機器３およびＬＥＤ照明器具１１が扉９，９によって居間Ｒ１内から隠蔽され、ラック５００およびＬＥＤ照明器具１２が居間Ｒ１内に対面する（図４参照）。
【００３２】
また、居間Ｒ１の天井には、照明器具１としてＬＥＤ照明器具１３が設置されるとともにスピーカ機器４が設置され、居間Ｒ１の床面には、他動運動機器２が配置されており、さらに居間Ｒ１の壁面にはコントロールパネル６が設置されている。
【００３３】
このような居間Ｒ１の壁面はケナフ素材の繊維ボードを構造用壁下地ボードとして用いており、ケナフ素材の有する調湿作用や消臭作用によって居間Ｒ１内を快適な空間にでき、さらに床面は木質感のある防汚フロアで構成することによって、上質感と手入れの簡便化を図っている。
【００３４】
ＬＥＤ照明器具１１〜１３は、図５に示すように、ＬＥＤ素子１ａと、点灯制御部１ｂと、外部との間で赤外線を用いた通信を行う赤外線通信部１ｃとで構成され、点灯制御部１ｂは、赤外線通信部１ｃを介して受信した点灯制御信号に基づいて、ＬＥＤ素子１ａの調光度および色温度を制御する。
【００３５】
他動運動機器２はユーザに対して他動的な運動を行わせるものであり、本実施形態では、例えば、ユーザが跨いで着座する鞍状の座席部を揺動運動させることによって、乗馬運動を模した運動負荷を与える乗馬型の運動機器を用いている。図６は他動運動機器２の概略的なブロック図を示し、マイクロコンピュータよりなる制御部２ａと、鞍状の座席部２ｂを揺動運動させる駆動部２ｃと、外部との間で赤外線を用いた通信を行う赤外線通信部２ｄと、電源のオン／オフ操作や、運動メニューの選択操作や、座席部２ｂを揺動させる速さや運動時間などの選択操作を行うための操作部２ｅと、座席部２ｂを様々なパターンで揺動させるための動作プログラムを記憶した記憶部２ｆとを備えている。
【００３６】
乗馬型の他動運動機器２では、鞍型の座席部２ｂに座る位置やその時の姿勢を変えることで、鍛える部位を変えることができ、例えば基本乗り、ウエスト乗り、ヒップ乗りなどの乗り方がある。基本乗りとは、座席部２ｂの真ん中の一番深くなっている所に座って、背筋を伸ばし、足の指のつけ根を足置き２ｇに置く乗り方であり、内ももの引き締めに効果がある。またウエスト乗りとは、足を前方に浮かせ、上半身を後方に反らせた状態で座って、腹筋や太ももの内側の筋肉に力を入れて、バランスをとる乗り方であり、ウエストの引き締めに効果がある。またヒップ乗りとは、足を後方に浮かせて、上半身を前方に傾斜させた状態で座り、大殿筋や中殿筋、背筋、太ももの内側の筋肉に力を入れて、バランスをとる乗り方であり、ヒップや太ももの後側の引き締めに効果がある。
【００３７】
映像機器３はネットワーク接続機能を備えたテレビジョン装置からなり、インターネット２０２およびＬＡＮ２０１を介して映像配信サーバ１０２から配信された映像を画面３ｂ上に表示する。また映像機器３は、リモコン装置３ａから送信される赤外線のような光信号からなるワイヤレス信号を受信するワイヤレス受信部（図示せず）を備え、操作に応じてリモコン装置３ａから送信されたワイヤレス信号をワイヤレス受信部が受信し、当該ワイヤレス信号に応じて表示するチャンネルや音量切り替えを行ったり、ネットワークを介して映像配信サーバ１０２にアクセスし、映像配信サーバ１０２に蓄積された映像を送信させることができる。なお、映像機器３は、扉９，９を開けた状態で、他動運動機器２に座ったユーザや、ソファー８に座ったユーザから目視可能な位置に設置されているものとする。
【００３８】
スピーカ機器４は、図７に示すように、居間Ｒ１内においてソファー８（に座ったユーザＨ）の上方の天井に複数設けた音出力用天井板４ａにより天井面の平面視における複数箇所から室内に音を出力できるようになっている。
【００３９】
居間Ｒ１の天井面は図８に示すように天井板を複数枚並べて天井下地用構造材４０１に取り付けることで構成してある。これら天井面を構成する天井板としては、励振器４ｂ（エキサイタ）により直接振動させられて音を発生させる音出力用天井板４ａと、音を発生させない普通天井板４００のうちいずれかが使用され、天井面の大部分は普通天井板４００で構成してあり、天井面の複数箇所を部分的に音出力用天井板４ａで構成してある。
【００４０】
音出力用天井板４ａは、ケナフ材、合板、その他の木材、鉄、アルミニウム等の金属、ロックウール材、石膏等で形成してある。音出力用天井板４ａの上面の外周には矩形状をした枠体４ｃを固着してあり、枠体４ｃはアルミニウム、鉄等の金属や、樹脂、木材等で形成してある。音出力用天井板４ａの上面の枠体４ｃに囲まれた部分に前記励振器４ｂを設けてあり、また枠体４ｃの上端部に囲まれた部分を覆うように裏板４ｄを設けてある。そして音出力用天井板４ａ、励振器４ｂ、枠体４ｃ、裏板４ｄで音出力用天井板ユニット４ｋを構成し、これにより音信号が励振器４ｂに入力されることで振動板としての音出力用天井板４ａを直接振動させて室内に向けて音を発生するようにしてある。なお励振器４ｂは音出力用天井板４ａ一枚に対して１個だけ設けられる。
【００４１】
音出力用天井板４ａ及び普通天井板４００を取り付ける天井下地用構造材４０１は一定間隔で平行に並設した長尺な梁４０１ａからなり、これら梁４０１ａの下面側に掛け渡すようにして音出力用天井板４ａ及び普通天井板４００は取付けられる。梁４０１ａに上記音出力用天井板ユニット４ｋを取付けるには、梁４０１ａの下面側に矩形状をした固定用枠４０２を固着し、この固定用枠４０２の下面側に矩形状の枠体４ｃの上面側をスペーサー用インシュレータ４０３を介在させてねじ具４０４により固着する。固定用枠４０２はアルミニウム、鉄等の金属や、樹脂、木材等で形成してある。このように枠体４ｃを固定用枠４０２にスペーサー用インシュレータ４０３を介在させて固着することで、音出力用天井板４ａの音を発生させるための振動が固定用枠４０２側に伝わらず、音出力用天井板４ａを振動させて音を発生させるに当たって高音質の音を発生させることができる。
【００４２】
また普通天井板４００は上記音出力用天井板４ａとは縁をきった状態で梁４０１ａに取り付けられる。普通天井板４００を梁４０１ａに取り付けるには、普通天井板４００の上面の端部に固着した野縁４０５を梁４０１ａに上端部を固着した吊り木４０６の下端部に固着する。
【００４３】
梁４０１ａに固定した固定用枠４０２に音出力用天井板４ａの上面に設けた枠体４ｃを取付けるため、隣接する普通天井板４００に音出力用天井板４ａを取付ける必要がなく、このため、音を発生させる音出力用天井板４ａの振動が普通天井板４００側に伝わらないように、図８に示すように音出力用天井板４ａと普通天井板４００との間に隙間を設けて両者が非接触の状態とすることができ、音出力用天井板４ａが音を発生させるために振動した際、該振動が隣接する普通天井板４００に伝わらず、この点でも天井面の一部を構成する音出力用天井板４ａを振動させて音を発生させるに当たって高音質の音を発生させることができる。なお、上記普通天井板４００及び音出力用天井板４ａで構成された天井面の全体には、前述の音出力用天井板４ａと普通天井板４００との間の隙間を含めてクロス等の天井面仕上げ材４０７が貼着される。
【００４４】
図７に示すように平面視において矩形の天井面の対向する一対の端縁間の中間を通過する線を中心線ａとし、中心線ａと平行な方向を前後方向とすると、上記励振器４ｂは天井面において前記中心線ａを中心に線対称となるよう前後に１対ずつ計４個設けてある。また平面視矩形の天井面の前後の端縁間の中間を通過する線を中心線ｂとすると、前記前後一対の励振器４ｂは中心線ｂを中心にして線対称となっており、これにより居間Ｒ１に居るユーザＨが四方の壁のうちいずれの壁の方を向いたとしても、ユーザＨにとっては天井面における前後の左右両側部分に励振器４ｂが位置することとなる。
【００４５】
図９は本実施形態のスピーカ機器４のブロック図である。スピーカ機器４は、ＬＡＮ２０１を介して音信号が入力されるアンプ装置４ｅと、前記天井に複数設けた音出力用天井板ユニット４ｋを備えている。
【００４６】
アンプ装置４ｅは、ＬＡＮ２０１に接続して通信を行うネットワーク通信部４ｆと、ネットワーク通信部４ｆから入力された音信号を復調処理する音処理部４ｇと、音処理部４ｇを介して入力された音信号を増幅するアンプ部４ｈと、音処理部４ｇ及びアンプ部４ｈを制御する制御部４ｉを備え、音処理部４ｇ及びアンプ部４ｈで処理した音信号を前記各励振器４ｂに割り振って出力する。なおアンプ部４ｈと各励振器４ｂを接続する配線４ｊは例えば天井裏などを通して室内に露出しないように配線される。
【００４７】
また、アンプ装置４ｅは１個のアンプ部４ｈから４個の励振器４ｂに対して音信号を割り振って入力するものであり、音処理部４ｇは入力された音信号をモノラル信号またはステレオ信号またはサラウンド信号のいずれかの音信号とした上でアンプ部４ｈに入力するものであり、４個の音出力用天井板ユニット４ｋからモノラルまたはステレオまたはサラウンドのいずれかの形態の音が出力される。
【００４８】
住宅盤３００は、主幹開閉器および分岐開閉器を内蔵して、宅内の分岐回路に電力を供給するとともに、宅内のＬＡＮ２０１に接続されるセキュリティ機器３００ａが図示しないルータを介してインターネット２０２に接続されている。
【００４９】
ネットアダプタ３１０は、ＬＡＮケーブル２０３を介してセキュリティ機器３００ａに接続されるとともに、小電力無線を利用してワイヤレス中継器３２０との間で無線電波によって通信を行うものである。またワイヤレス中継器３２０は、ネットアダプタ３１０との間で無線電波を用いた通信を行うとともに、照明器具１、他動運動機器２や後述する活動量計５との間で赤外線を用いた通信を行うものである。すなわち、ワイヤレス中継器３２０の通信可能エリア内に存在する他動運動機器２や活動量計５から、送信元および送信先のＩＤを含む赤外線信号が送信され、この赤外線信号をワイヤレス中継器３２０が受信すると、ワイヤレス中継器３２０は受信した赤外線信号の通信プロトコルを変換して無線電波により送信する。そして、ネットアダプタ３１０が、ワイヤレス中継器３２０から送信された無線電波を受信すると、無線電波により送信された信号のプロトコル変換を行い、送信先のＩＤが示すネットワーク機器（映像機器３やセンターサーバ１０１など）へ信号を送信する。
【００５０】
活動量計５は、扁平な装置本体５ａ（器体）に図１０に示す回路構成要素を内蔵したもので、装置本体５ａを測定対象者のベルト等に装着して使用される。ここで、装置本体５ａに内蔵される回路構成要素としては、例えば３軸の加速度センサ５ｂと、この加速度センサ５ｂの出力信号をＡ／Ｄ変換して得た検出データをもとに、当該活動量計５を装着したユーザの運動状態を演算する演算処理部５ｃと、時刻データを演算処理部５ｃに与える計時部５ｄと、入力操作部５ｅと、例えばフラッシュメモリなどの不揮発性メモリからなり、演算処理部５ｃの演算結果や検出データや個人の属性データなどを記憶するための記憶部５ｆと、例えば液晶表示器からなる表示部５ｇと、ワイヤレス中継器３２０との間で赤外線通信を行う赤外線通信部５ｈと、電池ＢＴを電源として各回路要素の動作に必要な所定の電圧を得る定電圧回路５ｉとを備えている。
【００５１】
入力操作部５ｅは、当該活動量計５の動作パターンを運動強度測定パターン、体動軌跡測定パターン、データ設定パターン、データ表示パターン、データ送信パターン、体動軌跡送信パターン等に切り替えるパターン切替操作や、表示部５ｇに表示される表示画面でのカーソル操作や確認操作、或いは、データ設定パターンにおいて活動量の算出に用いる個人の属性データ（例えば年齢、性別、身長、体重、目的、健康状態（既往症歴）、地域）を入力するデータ入力操作に用いられる。
【００５２】
活動量計５の演算処理部５ｃは、活動量計５に予め組み込まれたプログラムに基づいて、例えばユーザが歩いた歩数や消費カロリーなどを算出するためのデータ処理を行うものであり、入力操作部５ｅを用いてデータ設定パターンに切り替えられると、表示部５ｇの表示を制御してデータ入力画面を表示させ、当該データ入力画面において、上記属性データの入力をユーザに促すためのガイダンスなどを表示させ、入力操作部５ｅを用いて属性データが入力されると、入力データを記憶部５ｆに書き込み、以後の演算処理では記憶部５ｆから読み込んだ属性データを運動強度などの活動量の演算に使用するようになっている。
【００５３】
また演算処理部５ｃの動作パターンが、入力操作部５ｅを用いて運動強度測定パターンに切り替えられると、演算処理部５ｃは、加速度センサ５ｂから検出データを取り込む取込周期を活動量の測定に必要な周期（例えば約１２秒）に設定し、当該取込周期が経過する毎に加速度センサ５ｂから取り込んだ加速度の検出データに基づいて、運動強度（Mets）の算出処理や歩数を求める処理などを行うとともに、活動量（運動強度や歩数など）の算出結果を記憶部５ｆに書き込む処理を行い、且つ、算出結果を表示部５ｇにリアルタイムで表示するようになっている。尚、METsとは、身体活動の“強さ”を安静時の何倍に相当するかで表す単位であり、アメリカスポーツ医学界で用いられている。
【００５４】
ここにおいて、演算処理部５ｃは、所定の周期毎に取り込んだ加速度センサ５ｂの検出データをもとに、一定時間の加速度の変動平均（標準偏差値）を求める演算機能と、この変動平均から、運動強度を求める演算機能とを備えており、運動強度を変化させた状態で呼気ガス計測装置により測定した酸素消費量と、加速度分散値との関係式が予め求められて演算処理部５ｃに組み込まれており、演算処理部５ｃではこの関係式を用いて、加速度分散値から運動強度を求めている。
【００５５】
また演算処理部５ｃの動作パターンが、入力操作部５ｅを用いて体動軌跡測定パターンに切り替えられると、演算処理部５ｃは、検出データの取込周期を体動軌跡の測定に必要な周期（例えば２０ｍ秒）に設定し、所定の測定期間（例えば１分間）が経過するまでの間、上記取込周期が経過する毎に、加速度センサ５ｂから取り込んだ加速度の検出データを記憶部５ｆに蓄積し、測定期間が経過すると、体動軌跡測定パターンを終了して元のパターンに復帰する。
【００５６】
さらに演算処理部５ｃの動作パターンが、入力操作部５ｅを用いてデータ表示パターンに切り替えられると、演算処理部５ｃは、記憶部５ｆに記憶されているデータや演算処理結果に基づいて、個人の属性データや活動量の測定結果などを表示部５ｇに表示させる処理を行う。
【００５７】
さらに演算処理部５ｃの動作パターンが、入力操作部５ｅを用いてデータ送信パターンに切り替えられると、演算処理部５ｃは、体動軌跡測定パターン時に検出された測定期間分の検出データや運動強度測定パターン時に算出された活動量の算出結果を記憶部５ｆから読み出し、読み出した検出データや活動量の算出結果を赤外線通信部５ｈからセンターサーバ１０１宛に送信させる。この時、活動量計５の赤外線通信部５ｈから送信されたデータはワイヤレス中継器３２０に受信され、さらにワイヤレス中継器３２０から電波信号でネットアダプタ３１０に送信され、ネットアダプタ３１０からＬＡＮ２０１を経由してセキュリティ機器３００ａに送信されるとともに、インターネット２０２を経由してセンターサーバ１０１に送信される。
【００５８】
またさらに、演算処理部５ｃの動作パターンが、入力操作部５ｅを用いて体動軌跡送信パターンに切り替えられるか、或いは、赤外線通信部５ｈが受信した外部からの切替信号に応じて体動軌跡送信パターンに切り替えられると、演算処理部５ｃは、検出データの取込周期を体動軌跡の測定に必要な周期（例えば２０ｍ秒）に設定し、上記取込周期が経過する毎に、加速度センサ５ｂから取り込んだ加速度の検出データを赤外線通信部５ｈからセンターサーバ１０１宛に送信させる。
【００５９】
コントロールパネル６（モード設定手段）は、図１１に示すように、ＬＡＮ２０１に接続して通信を行うネットワーク通信部６ａと、居間Ｒ１の空間としてのモード設定を行うモード設定スイッチ６ｂと、設定内容等を表示するモニタ部６ｃと、モード設定スイッチ６ｂが設定したモードに応じて制御信号をネットワーク通信部６ａを介して送信するとともに、設定内容等をモニタ部６ｃに表示させる制御部６ｄとで構成される。
【００６０】
本居住装置では、映像機器３、スピーカ機器４、モータドライバ９ａが、ＬＡＮケーブル２０３を介してセキュリティ機器３００ａに接続されており、インターネット２０２およびＬＡＮ２０１を介して、センターサーバ１０１、映像配信サーバ１０２から配信された映像を映像機器３の画面上に表示するとともにスピーカ機器４から音声を出力したり、センターサーバ１０１からの指示によってモータドライバ９ａが扉９を開閉することができる。また照明器具１、他動運動機器２、活動量計５はそれぞれワイヤレス中継器３２０およびネットアダプタ３１０を介してＬＡＮ２０１に接続されており、ＬＡＮ２０１およびインターネット２０２を介してセンターサーバ１０１に接続されるので、センターサーバ１０１との間でデータの送受信が行えるようになっている。さらには、コントロールパネル６が、ＬＡＮケーブル２０３を介してセキュリティ機器３００ａに接続されており、上記各機器の動作を制御することができる。なお、照明器具１、他動運動機器２、映像機器３、スピーカ機器４、活動量計５、コントロールパネル６、モータドライバ９ａ、ネットアダプタ３１０、ワイヤレス中継器３２０にはそれぞれ個別のローカルＩＰアドレスが割り当てられており、センターサーバ１０１と各機器との間で相互に通信が行えるようになっている。
【００６１】
ここで、本システムにより事業者Ｂが提供するシーン制御サービスを住宅Ａの居間Ｒ１内のユーザが利用する場合について以下に説明する。コントロールパネル６においてモード設定スイッチ６ｂを切り替えることによって、居間Ｒ１の空間としてのモードに、団欒モード、フィットネスモード、映像視聴モードの３つのモードのいずれかを選択的に設定できる。
【００６２】
まず、団欒モード時は、コントロールパネル６からセンターサーバ１０１へ団欒モード信号が送信され、団欒モード信号を受信したセンターサーバ１０１は、ＬＥＤ照明器具１３へ点灯制御信号を送信し、ＬＥＤ照明器具１３は、居間Ｒ１内のユーザがくつろぎを感じることができる色温度２０００〜４０００Ｋ［ケルビン］（例えば、３０００Ｋ）で点灯する。すなわち、ＬＥＤ照明器具１３の照明によって、居間Ｒ１がくつろぎの空間に形成される。
【００６３】
次に、フィットネスモード時は、コントロールパネル６からセンターサーバ１０１へフィットネスモード信号が送信され、フィットネスモード信号を受信したセンターサーバ１０１は、ＬＥＤ照明器具１３へ点灯制御信号を送信し、ＬＥＤ照明器具１３は、居間Ｒ１内のユーザの身体活性度を高める色温度６０００〜８０００Ｋ（例えば、６７００Ｋ）で点灯する。すなわち、ＬＥＤ照明器具１３の照明によって、居間Ｒ１が身体活性度を高める空間に形成され、他動運動機器２等を用いた運動の効果を向上させることができる。
【００６４】
また、映像配信サーバ１０２には、他動運動機器２を用いた複数種類の運動プログラムについて、各々の運動内容を示す動画が蓄積されている。さらに、他動運動機器２の記憶部２ｆには、映像配信サーバ１０２に蓄積された複数種類の動画にそれぞれ対応して、動画の運動内容と同様の動きで座席部２ｂを動かすように駆動部２ｃを制御するための複数種類の動作プログラムが予め登録されている。ここで、フィットネスモード信号を受信したセンターサーバ１０１は、映像配信サーバ１０２からインターネット２０２及びＬＡＮ２０１を介して他動運動機器２に動作プログラムを送信し、他動運動機器２の制御部２ａが、赤外線通信部２ｄにより受信された動作プログラムを記憶部２ｆに記憶させるようにしても良く、映像配信サーバ１０２に蓄積された動画ファイルを更新した場合に、更新された動画ファイルの運動内容に合わせて、動作プログラムを更新することによって、動画ファイルの更新や追加にも容易に対応することができる。
【００６５】
そして、センターサーバ１０１は、ユーザが携行している活動量計５の動作パターンをデータ送信パターンに切り替えるためのパターン切替信号を送信する。このパターン切替信号は、インターネット２０２およびセキュリティ機器３００ａを介してネットアダプタ３１０に送られ、ネットアダプタ３１０からワイヤレス中継器３２０を介して活動量計５にワイヤレス送信される。この時、活動量計５の演算処理部５ｃは、赤外線通信部５ｈが受信したモード切替信号に基づいて、動作パターンをデータ送信パターンに切り替え、運動強度測定パターン時に算出された所定期間（例えば１日）の活動量の算出結果を記憶部５ｆから読み出し、読み出した活動量の算出結果を赤外線通信部５ｈからセンターサーバ１０１宛に送信する。
【００６６】
次に、センターサーバ１０１は、活動量の算出結果に基づいて、目標活動量を達成するための推奨動作プログラムを指定するプログラム指定信号を他動運動機器２へ送信するとともに、扉開信号をモータドライバ９ａへ送信する。プログラム指定信号を受信した他動運動機器２では、制御部２ａが、プログラム指定信号によって指定された動作プログラムを記憶部２ｆから読み出して始動準備を行い、扉開信号を受信したモータドライバ９ａは、扉９を開状態にして、映像機器３を居間Ｒ１内に対面させる。したがって、通常は映像機器３を扉９で居間Ｒ１内から隠蔽しておき、必要なときのみ扉９を開いて映像機器３を居間３内に対面させるので、そのときどきのモードに適した空間環境を形成できる。
【００６７】
さらに、センターサーバ１０１は、映像配信サーバ１０２から映像機器３へ、上記指定した運動プログラムに対応する動画ファイルを映像機器３へ配信させる。映像機器３では、映像配信サーバ１０２からインターネット２０２及びＬＡＮ２０１を介して配信された動画ファイルを図示しないメモリに記憶し、動画ファイルのダウンロードが完了すると、センターサーバ１０１は、インターネット２０２およびＬＡＮ２０１を介して映像機器３の表示を制御し、画面３ｂ上に運動開始を促すメッセージ（例えば「活動量計を腰に付けて座席部に座り、準備ができたらスタートボタンを押して下さい」といったメッセージ）を表示させる。
【００６８】
そして、運動開始を促すメッセージを見たユーザが、例えばベルト等を用いて活動量計５を腰に装着する。なお、活動量計５の取付位置によって体動軌跡の測定結果が異なってしまうので、活動量計５が所定の位置（例えば腰部の中心付近）に取り付けられるように、活動量計５の取付位置や取付方法を説明する案内画面を映像機器３に表示させるのも好ましい。そして、活動量計５を腰に装着したユーザが他動運動機器２の座席部２ｂに座り、リモコン装置３ａを用いて動画の再生を開始する操作を行うと、リモコン装置３ａから送信された再生開始要求を映像機器３が受信し、この再生開始要求が映像機器３からＬＡＮ２０１およびインターネット２０２を介してセンターサーバ１０１に送信される。
【００６９】
センターサーバ１０１は、映像機器３からの再生開始要求を受信すると、映像機器３に対してダウンロードした動画ファイルの再生を開始させる映像制御信号を送信するとともに、当該動画ファイルに対応した動作プログラムを他動運動機器１に実行させるための機器制御信号を他動運動機器２へ送信する。この時、センターサーバ１０１からインターネット２０２を経由して送信された映像制御信号が映像機器３に送信されるとともに、機器制御信号がセキュリティ機器３００ａからネットアダプタ３１０およびワイヤレス中継器３２０を介して他動運動機器２に送信される。そして、映像機器３が、映像配信サーバ１０２からダウンロードした動画ファイルの再生を開始するとともに、他動運動機器２の制御部２ａが、前記指定された動作プログラムにしたがって駆動部２ｃを制御することで、映像機器３に表示される運動内容に合わせて座席部２ｂを動かすことができる。ここにおいて、センターサーバ１０１により、ネットワークを介して接続された他動運動機器２の動作を制御する制御手段が構成され、センターサーバ１０１では、他動運動機器２が動作を開始するタイミングを制御することによって、映像機器３に表示する動画の運動内容に他動運動機器２の動作を追従させることができる。
【００７０】
このように、ＬＡＮ２０１およびインターネット２０２を介して他動運動機器２および映像機器３に接続されたセンターサーバ１０１が、映像機器３に動画ファイルを再生させるとともに、映像機器３に表示される動画の運動内容に他動運動機器２の動きを追従させるように、他動運動機器２の動作を制御しているので、他動運動機器２を使用するユーザは、映像機器３に表示される動画の運動内容に合わせて、リアルタイムで正しい動きの運動を行うことができる。したがって、指導者がいない場所で他動運動機器２を使用する場合でも、映像機器３に表示された動画の運動内容に合わせて体を動かすことで、正しい動きをすることができ、他動運動機器２の使い勝手が向上するとともに、他動運動機器２を用いて効果的な運動を行うことができる。
【００７１】
さらに、他動運動機器２は動作を開始すると、赤外線通信部２ｄよりセンターサーバ１０１へ動作開始を知らせる制御状態信号を送信させる。この制御状態信号は、ワイヤレス中継器３２０、ネットアダプタ３１０、セキュリティ機器３００ａ、および、インターネット２０２を介してセンターサーバ１０１に送信され、センターサーバ１０１では他動運動機器２から送られた制御状態信号をもとに、他動運動機器２が動作を開始したことを検出すると、活動量計５に対して動作パターンを体動軌跡送信パターンに切り替えるためのパターン切替信号を送信する。このパターン切替信号は、インターネット２０２およびセキュリティ機器３００ａを介してネットアダプタ３１０に送られ、ネットアダプタ３１０からワイヤレス中継器３２０を介して活動量計５にワイヤレス送信される。この時、活動量計５の演算処理部５ｃは、赤外線通信部５ｈが受信したパターン切替信号に基づいて、動作モードを体動軌跡送信パターンに切り替え、記憶部５ｆに蓄積された過去の体動軌跡の測定データを消去するとともに、検出データの取込周期を例えば２０ｍ秒に設定し、当該取込周期が経過する毎に、加速度センサ５ｂから取り込んだ加速度の検出データを赤外線通信部５ｈからセンターサーバ１０１宛に送信する。なお本実施形態では、センターサーバ１０１から活動量計５へパターン切替信号を送信することで、活動量計５の動作モードを体動軌跡送信モードに切り替えているが、活動量計５を装着するユーザが入力操作部５ｅを操作することで、動作モードを体動軌跡送信モードに切り替えるようにしても良い。
【００７２】
センターサーバ１０１では、活動量計５へパターン切替信号を送信した後に、当該活動量計５から送信された加速度の検出データを受信すると、この検出データを２回積分して位置を算出し、算出した位置を繋ぎ合わせることで、活動量計５が取り付けられたユーザの腰の時間的な変化を示す体動軌跡を求めている。ここにおいて、活動量計５は３軸の加速度センサ５ｂを備えているので、センターサーバ１０１では、活動量計５の検出出力（すなわちＸ軸方向、Ｙ軸方向およびＺ軸方向の加速度検出値）をもとに、骨盤が前後方向に傾斜する動きを示す体動軌跡Ｃ１や、上方から見た時の腰部の動きを示す体動軌跡Ｃ２を求めるとともに、これらの体動軌跡Ｃ１，Ｃ２（（図１２（ａ）参照）を映像機器３の画面３ｂ上に表示させる画面データを作成し、インターネット２０２を介して映像機器３に送信する。
【００７３】
そして、映像機器３では、運動内容を示す動画中に、体動軌跡Ｃ１，Ｃ２を同時表示させており、他動運動機器２を使用したユーザは自身の運動姿勢を視覚的に把握することができる。このように、センターサーバ１０１が活動量計６から受信した検出データをもとにユーザの体動軌跡Ｃ１，Ｃ２を示す動画像をリアルタイムで作成して、映像機器３に送信することで、映像機器３の画面上に運動内容を示す動画とともに、運動中の体動軌跡Ｃ１，Ｃ２を示す動画像を表示させており、運動中のユーザは、運動内容を示す動画を見ながら、他動運動を行うとともに、運動中の体動軌跡をその場で確認できるから、自己の体動の悪い点が把握しやすくなり、より良い姿勢になるようにバランスの取り方などを自分で矯正することが容易になる。
【００７４】
なお、乗馬型の他動運動機器２の場合、運動中の乗り方（体の動かし方や座る位置など）によって運動の効果が大きく左右されるため、他動運動機器２を使用する際の体動軌跡を映像機器３に表示させることによって、ユーザに対し運動中の乗り方の良否を判断する材料を提示して、運動中の乗り方を直すきっかけを与えることができ、正しい乗り方での使用をユーザに促すことにより、他動運動による効果を向上させることが出来る。またセンターサーバ１０１では、活動量計５の検出データを元に、上方から見たときの腰部の体動軌跡を映像機器３に表示させているので、ユーザは上方から見たときの腰部の体動軌跡を把握することができ、且つ、ユーザの骨盤が前後方向に傾斜する軌跡を映像機器３に表示させているので、骨盤の前後方向への揺動動作を確認することができる。
【００７５】
ところで、センターサーバ１０１が、体動軌跡の測定結果を映像機器３に表示させる際に、図１３に示すように骨盤が前後方向に傾斜する動きを示す理想的な体動軌跡Ｃ５や、腰部の動きを上方から見た時の理想的な体動軌跡Ｃ６を、実際の体動軌跡Ｃ３，Ｃ４と対比させるように表示しても良く、他動運動機器２のユーザは、自身の体動軌跡と理想的な体動軌跡とを比較することによって、自身の体動の悪い点を客観的に評価することができる。ここで、実際の体動軌跡Ｃ３，Ｃ４と対比させる理想的な体動軌跡Ｃ５，Ｃ６としては、他動運動機器２の座席部２ｂの動きをもとに、座席部２ｂに座った人の動きをシミュレーションして得た軌跡を用いても良いし、予め他動運動機器２の使用に習熟した複数のユーザの体動軌跡を測定し、その体動軌跡をもとに決定（例えば平均処理などを施して決定）した標準軌跡を用いても良い。
【００７６】
なお、本実施形態では「基本乗り」で他動運動を行った際の体動軌跡Ｃ１，Ｃ２を測定する場合について説明しているが、「ウエスト乗り」や「ヒップ乗り」で体動軌跡Ｃ１，Ｃ２を測定するようにしても良い。図１２（ｂ）は、「ウエスト乗り」で他動運動を行った際の骨盤の前後方向の動きを示す体動軌跡Ｃ１、腰部の動きを示す体動軌跡Ｃ２であり、「基本乗り」に比べて骨盤の動き、腰部の動きとも前後の振幅が小さく、後傾した状態で運動を行っていることが判る。また図１２（ｃ）は、「ヒップ乗り」で他動運動を行った際の骨盤の動きを示す体動軌跡Ｃ１、腰部の動きを示す体動軌跡Ｃ２であり、「基本乗り」に比べて骨盤の動き、腰部の動きとも前後の振幅が小さく、前傾した状態で運動を行っていることが判る。
【００７７】
そして、映像機器３による動画の再生が終了すると、他動運動機器２も動作を停止し、映像機器３には終了画面が表示されて、初期状態（例えば、メニュー画面）に戻る。
【００７８】
次に、映像視聴モード時は、コントロールパネル６からセンターサーバ１０１へ映像視聴モード信号が送信され、映像視聴モード信号を受信したセンターサーバ１０１は、扉開信号をモータドライバ９ａへ送信する。扉開信号を受信したモータドライバ９ａは、扉９を開状態にして、映像機器３およびＬＥＤ照明器具１１を居間Ｒ１内に対面させる。したがって、通常は映像機器３を扉９で居間Ｒ１内から隠蔽しておき、必要なときのみ扉９を開いて映像機器３を居間３内に対面させるので、そのときどきのモードに適した空間環境を形成できる。
【００７９】
また、映像配信サーバ１０２には、様々なコンテンツの動画（映画、音楽等）が蓄積されており、ユーザが、リモコン装置３ａを用いて映像機器３からセンターサーバ１０１にアクセスさせる操作を行い、提供可能な動画プログラムを紹介するＷｅｂページを映像機器３の画面上に表示させる。そして、ユーザが、映像機器３に表示された動画プログラムの一覧から所望の動画プログラムを決定し、当該動画プログラムを配信させる操作をリモコン装置３ａを用いて行うと、映像機器３からＬＡＮ２０１およびインターネット２０２を介してセンターサーバ１０１へ所望の動画ファイルの配信要求が送信され、この配信要求を受け取ったセンターサーバ１０１は、映像配信サーバ１０２から要求元の映像機器３へ、指定された動画プログラムのファイルを配信させる。映像機器３では、映像配信サーバ１０２からインターネット２０２及びＬＡＮ２０１を介して配信された動画ファイルを図示しないメモリに記憶しており、動画ファイルのダウンロードが完了すると、動画の再生準備が完了したことを示すメッセージを画面上に表示する。そして、再生準備の完了を示すメッセージを見たユーザが、リモコン装置３ａを用いて動画の再生を開始する操作を行うと、リモコン装置３ａから送信された再生開始要求を映像機器３が受信し、この再生開始要求が映像機器３からＬＡＮ２０１およびインターネット２０２を介してセンターサーバ１０１に送信される。
【００８０】
センターサーバ１０１は、映像機器３からの再生開始要求を受信すると、映像機器３に対してダウンロードした動画ファイルの再生を開始させる映像制御信号を送信するとともに、当該動画ファイルの内容および進行に同期した照明をＬＥＤ照明器具１１，１３に実行させるための点灯制御信号を、ＬＥＤ照明器具１１，１３へ送信する。この時、センターサーバ１０１からインターネット２０２を経由して送信された映像制御信号が映像機器３に送信されるとともに、点灯制御信号がＬＥＤ照明器具１１，１３に送信される。そして、映像機器３が、映像配信サーバ１０２からダウンロードした動画ファイルの再生を開始するとともに、ＬＥＤ照明器具１１，１３の点灯制御部１ｂが、赤外線通信部１ｃの受信した点灯制御信号に基づいてＬＥＤ素子１ａの光温度、調光度を制御することで、映像機器３に表示される内容および進行に合わせて、居間Ｒ１の照明環境を変化させ、ユーザの視聴覚に対してより効果的な演出を行い、臨場感を高めることができる。
【００８１】
ここにおいて、センターサーバ１０１により、ネットワークを介して接続された照明器具１の光出力を制御する制御手段が構成され、センターサーバ１０１では、照明器具１の光出力を変化させるタイミングを制御することによって、映像機器３に表示させる動画の内容および進行に照明器具１の光出力（光温度、調光度）を追従させることができる。
【００８２】
そして、映像機器３による動画の再生が終了すると、ＬＥＤ照明器具１１，１３も同期動作を停止し、映像機器３には終了画面が表示されて、初期状態（例えば、メニュー画面）に戻る。
【００８３】
このように、本実施形態では、居間Ｒ１の空間としての環境を団欒モード、フィットネスモード、映像視聴モードの３つのモードのいずれかから選択し、各モードに適した居住空間の照明環境を与えるとともに、各モードで使用する各機器の制御を行うので、居間Ｒ１内のユーザは各モードにおいて上質な空間環境を享受することができる。
【００８４】
また、コントロールパネル６に扉９の開閉検知を行うセンサを接続し、ユーザが扉９を開けた場合に映像視聴モードに切り替えてもよく、さらに各モードの切り替えをコントロールパネル６で行う以外に、リモコン装置３ａによって映像機器３経由で行ってもよい。
【００８５】
また、上記実施形態では居間Ｒ１内の空間を居住装置として例示したが、ダイニングやキッチン等の他の空間でも同様に空間としてのモード設定を行い、設定されたモードに応じた照明器具の色温度、調光度に制御してもよい。
【００８６】
例えば、ダイニングであれば、食事モード、ホームバーモード、勉強モードの３つのモードを選択可能に用意し、食事モード時は、ダイニング内のユーザがくつろぎを感じることができる色温度３０００〜４０００Ｋ（例えば、３０００Ｋ）で照明を点灯させて、ダイニングをくつろぎの空間に形成し、ホームバーモード時は、ダイニング内のユーザが落ち着きを感じることができる色温度２０００〜３０００Ｋ（例えば、２８００Ｋ）で照明を点灯させて、ダイニングを落ち着きのある空間に形成し、勉強モード時は、ダイニング内のユーザの覚醒度が高まる色温度６０００〜８０００Ｋ（例えば、６７００Ｋ）で照明を点灯させて、ダイニングを集中力の高まる空間に形成する。
【００８７】
さらに、ダイニングの壁面に設けられた収納領域の前面には、図１４（ａ）に示すようにモータ駆動で開閉制御される４枚の引き戸構成の扉９１〜９４を設置し、扉９１〜９４は、モータドライバがモータを駆動することによって個別に開閉される。そして、図１４（ｂ）に示すように一端の扉９１が開状態の場合には、一端の収納領域Ｇ１１がダイニング内に対面し、図１４（ｃ）に示すように中央の２枚の扉９２，９３が開状態の場合には、中央の収納領域Ｇ１２がダイニング内に対面し、図１４（ｄ）に示すように他端の扉９４が開状態の場合には、他端の収納領域Ｇ１３がダイニング内に対面する。
【００８８】
そして、収納領域Ｇ１１にはワインボトルやワイングラス等を収納するラック５０１が設置され、収納領域Ｇ１２には勉強机５０２が設置され、収納領域Ｇ１３には日用品を収納するラック５０３が設置されており、ホームバーモード時は、扉９１を開状態に制御してワインボトルやワイングラス等が収納されたラック５０１をダイニング内に対面させ、さらには図示しない屋外照明やイルミネーションを点灯させたり、勉強モード時には扉９２，９３を開状態に制御して収納領域Ｇ１２内の勉強机５０２をダイニング内に対面させ、さらには勉強机５０２に配置したスタンド照明が点灯することで、各モードに適したダイニングの形態に連動制御してもよい。
【００８９】
また本実施形態では、他動運動機器２として、ユーザに乗馬を模した運動を行わせる乗馬型の運動機器を例に説明したが、他動運動機器２を乗馬型のものに限定する趣旨のものではなく、ユーザの体の所定部位に負荷をかけて他動的な運動を行わせる運動機器（例えば座ったままの姿勢で歩行運動を実現できる機器など）であっても良い。
【図面の簡単な説明】
【００９０】
【図１】本発明の居住装置の概略構成を示す図である。
【図２】同上の居間の構成を示す図である。
【図３】同上の収納領域の状態を示す図である。
【図４】同上の収納領域の別の状態を示す図である。
【図５】同上の照明器具のブロック構成を示す図である。
【図６】同上の他動運動機器のブロック構成を示す図である。
【図７】同上のスピーカ機器の概略構成を示す図である。
【図８】同上のスピーカ機器の断面を示す図である。
【図９】同上のスピーカ機器のブロック構成を示す図である。
【図１０】同上の活動量計のブロック構成を示す図である。
【図１１】同上のコントロールパネルのブロック構成を示す図である。
【図１２】（ａ）〜（ｃ）は体動軌跡の表示例を示す図である。
【図１３】同上の実際の体動軌跡と理想的な体動軌跡を対比させる表示例を示す図である。
【図１４】（ａ）〜（ｄ）はダイニングにおける収納領域の状態を示す図である。
【符号の説明】
【００９１】
Ｒ１  居間
１  照明器具
２  他動運動機器
３  映像機器
４  スピーカ機器
５  活動量計
６  コントロールパネル
６ｂ  モード設定スイッチ
１０１  センターサーバ
１０２  映像配信サーバ
【図１】
0005261012.tif 000002
【図２】
0005261012.tif 000003
【図３】
0005261012.tif 000004
【図４】
0005261012.tif 000005
【図５】
0005261012.tif 000006
【図６】
0005261012.tif 000007
【図７】
0005261012.tif 000008
【図８】
0005261012.tif 000009
【図９】
0005261012.tif 000010
【図１０】
0005261012.tif 000011
【図１１】
0005261012.tif 000012
【図１２】
0005261012.tif 000013
【図１３】
0005261012.tif 000014
【図１４】
0005261012.tif 000015